【事件の表示】
　特願２００３−１８５８２３「高品質液晶表示装置とその製造方法」拒絶査定不服審判事件〔平成１６年１２月　２日出願公開、特開２００４−３４１４６５〕について、次のとおり審決する。
【結　論】
　本件審判の請求は、成り立たない。
【理　由】
　
１．手続の経緯・本願発明 
　
　本願は、平成１５年５月１４日の出願であって、平成１８年１２月５日付けで拒絶査定がなされ、これに対し、平成１９年１月１０日に拒絶査定不服審判が請求されたものであって、その請求項１に係る発明は、特許請求の範囲の請求項１に記載された次のとおりのものと認める。
　
「横電界方式アクティブマトリックス液晶表示装置に関して、映像信号配線の上に、映像信号配線をつつみこむように細長い絶縁体のバンプを形成し、この細長い絶縁体のバンプの上に、映像信号配線をシールドするための共通電極を映像信号配線をおおうように形成したことを特徴とする液晶表示装置。」（以下「本願発明」という。） 
　
２．刊行物の記載事項
　
　原査定の拒絶の理由に引用された、本願の出願前に頒布された刊行物である特開２００２−３２３７０６号公報（以下「引用例」という。）には、図面とともに次の事項が記載されている。
　
（１）「【特許請求の範囲】
【請求項１】  
能動素子基板と、対向基板と、前記能動素子基板と前記対向基板との間に挟まれた状態で保持されている液晶層、とからなる
前記能動素子基板は、
ゲート電極、ドレイン電極、ソース電極を有する薄膜トランジスタと、表示すべき画素に対応した画素電極と、基準電位が与えられる共通電極と、データ線と、走査線と、共通電極配線とを備え
前記ゲート電極は前記走査線に、前記ドレイン電極は前記データ線に、前記ソース電極は前記画素電極に、前記共通電極は前記共通電極配線に、それぞれ電気的に接続されており、
前記画素電極と前記共通電極の間に印加される、前記能動素子基板の表面に略平行な電界により、前記液晶層の分子軸を前記能動素子基板に平行な面内において回転させることにより表示を行う横電界方式の
アクティブマトリクス型液晶表示装置において
前記共通電極は透明電極から成り、前記データ線より前記液晶層に近い層上に成されており、
前記走査線近傍を除いて、
前記データ線は、絶縁膜を挟んで、前記共通電極によって完全に覆われており
前記データ線が前記共通電極によって完全に覆われた領域においては、前記対向基板上、もしくは前記能動素子基板の前記データ線より前記液晶層側に、前記データ線に対向するようにブラックマトリクス層、又は複数の色層を重ねた遮光層を配し、前記ブラックマトリクス層又は前記遮光層の幅は、前記データ線を覆うように形成された前記共通電極の幅よりも小さい幅を有するように形成されていることを特徴とする横電界方式のアクティブマトリクス型液晶表示装置。
・・・・（略）・・・・
【請求項１８】  
前記データ線を覆うように形成された前記共通電極の下方に層間絶縁膜が形成されており、この層間絶縁膜の上の膜が、前記共通電極のうち前記データ線を覆うように形成された部分の下方にのみ形成されている
・・・・（略）・・・・
【請求項４６】  表示を行う領域においては、前記画素電極は前記ドレイン電極を形成している第２の金属層により形成され、
前記共通電極のうちデータ線を覆うように形成された透明金属からなる部分以外の領域は、前記ゲート電極を形成している第１の金属層により形成されていることを特徴とする請求項１乃至請求項４４の何れか一項に記載の横電界方式のアクティブマトリクス型液晶表示装置。
【請求項４７】  
前記データ線とこれを覆うようにして形成された透明金属からなる前記共通電極との間には層間絶縁膜が形成されており、前記層間絶縁膜は、前記データ線を覆うように形成された透明金属からなる前記共通電極の下方のみに形成されている
【請求項４８】  前記データ線とこれを覆うようにして形成された透明金属からなる前記共通電極との間には層間絶縁膜が形成されており、前記層間絶縁膜は無機膜からなるものであることを特徴とする請求項１乃至請求項４７の何れか一項に記載の横電界方式のアクティブマトリクス型液晶表示装置。
【請求項４９】  前記データ線とこれを覆うようにして形成された透明金属からなる前記共通電極との間には層間絶縁膜が形成されており、前記層間絶縁膜は有機膜からなるものであることを特徴とする請求項１乃至請求項４７の何れか一項に記載の横電界方式のアクティブマトリクス型液晶表示装置。
【請求項５０】  前記データ線とこれを覆うようにして形成された透明金属からなる前記共通電極との間には層間絶縁膜が形成されており、
前記層間絶縁膜は、無機膜からなる第１の膜と、前記第１の膜を覆う有機膜からなる第２の膜とからなるものである
　
（２）「【０００６】ＩＰＳモードの液晶表示装置としては、例えば、特開平０７―０３６０５８等で開示されたものがある。また、ＩＰＳモードの液晶表示装置を高開口率化する技術として、例えば、特開平１１―１１９２３７号公報（以下、「従来例１」と呼ぶ。）、特開平１０―１８６４０７号公報（以下、「従来例２」と呼ぶ。）、特開平９-２３６８２０号公報（以下、「従来例３」と呼ぶ。）、または、特開平６-２０２１２７号公報（以下、「従来例４」と呼ぶ。）に記載されたものがある。
・・・・（略）・・・・
【０００９】一方、従来例１の実施例５には、駆動電極及び対向電極を信号線よりも上層に形成し、さらに
信号線を覆うように対向電極を形成することにより、信号線からの漏れ電界の影響を受けにくくする
【００１０】従来例２に記載されたＩＰＳモードの液晶表示装置においては、共通電極を形成した共通電極層とデータ線を形成したデータ線層との間に絶縁層が形成されており、また、共通電極層はデータ線層よりも液晶層に近い位置に配置されている。さらに、共通電極の特定の領域はデータ線の特定の領域と相互に重なり合っている。これにより、
共通電極がデータ線を完全に覆い、漏れ電界が生じない
・・・・（略）・・・・
【００１２】従来例４に記載されたＩＰＳモードの液晶表示装置は、アクティブ素子からなる駆動手段を備えており、映像信号をアクティブ素子に伝達する信号配線の液晶層に面する領域の大部分が絶縁物を介して導電体で覆われていることを特徴とするものである。しかし、従来例４のいずれの実施例にも、
透明電極で信号線をシールドする
・・・・（略）・・・・
【００１４】
【発明が解決しようとする課題】これらの従来例において記載されているＩＰＳモードの液晶表示装置は、何れも開口率を高め、画像の明るさを向上させることを目的とするものである。
【００１５】データ線と対向電極または共通電極との間には電位差が存在するため、この電位差に起因して、電界が発生する。この電界が、画素電極と共通電極との間の表示領域に影響を及ぼす領域まで到達すると、液晶の配向状態を乱す原因となる。例えば、黒の背景に、白のウインドウを表示させたような画面においては、白を表示させた画素を駆動するデータ線に対応する黒表示画素において、グレー表示をしてしまう縦クロストークと呼ばれる表示上の問題を生じることとなる。
【００１６】この問題を避けるためには、
データ線の電界をシールドするために、
データ線を共通電極などの表示上影響のない電位を有する電極で覆う
【００１７】開口率を向上させるためには、後者のように
データ線を覆うように共通電極を設けることが望ましい
【００１８】しかしながら、従来例で提案された方法では、シールドが完全ではなかったり、また共通電極を遮光体で形成しているため、光利用効率が落ちるといった問題点が存在した。
【００１９】上記の従来例における液晶表示装置は、いずれも開口率の向上を目的としたものであるが、さらなる開口率の向上が求められていた。
【００２０】本発明はこのような問題点に鑑みてなされたものであり、縦クロストークの発生を防止することができ、かつ、開口率を向上させることができる横電界方式の液晶表示装置を提供することを目的とする。
【００２１】この目的を上記従来例に対応してさらに具体化すると、
本願の第１の目的は、開口率を低下させることなく縦方向のクロストークを防止したＩＰＳ液晶を提供すること
・・・・（略）・・・・
【００２７】また、従来例２が指摘するように、共通電極がデータ線を完全に覆うことにより、データ線と共通電極との間の寄生容量が増えるという課題もある。従って、
本願の第５の目的は、データ線と共通電極との間の寄生容量を増やすことなく共通電極でデータ線をほぼ完全に覆うこと
【００２８】本願発明は上記第５の目的達成のために、データ線とは層間絶縁膜を介してデータ線より液晶層に近い層にＩＴＯによる共通電極を配置し、かつ前記層間絶縁膜の材料には誘電率が低い有機樹脂を使うことを特徴とする。
・・・・（略）・・・・
【００８５】請求項１８に係る発明は、前記データ線を覆うように形成された前記共通電極の下方に層間絶縁膜が形成されており、この層間絶縁膜の上の膜が、前記共通電極のうち前記データ線を覆うように形成された部分の下方にのみ形成されていることを特徴とする請求項１乃至請求項１７の何れか一項に記載の横電界方式のアクティブマトリクス型液晶表示装置を提供する。
【００８６】これにより、共通電極とデータ線との間の層間絶縁膜を必要以上に大きな領域において形成する必要がなくなり、
共通電極とデータ線との間の寄生容量を増やすことなく、共通電極でデータ線をほぼ完全に覆う
・・・・（略）・・・・
【０１３７】請求項４７に係る発明は、前記データ線とこれを覆うようにして形成された透明金属からなる前記共通電極との間には層間絶縁膜が形成されており、前記層間絶縁膜は、前記データ線を覆うように形成された透明金属からなる前記共通電極の下方のみに形成されていることを特徴とする請求項４６に記載の横電界方式のアクティブマトリクス型液晶表示装置を提供する。
【０１３８】これにより、共通電極とデータ線との間の層間絶縁膜を必要以上に大きな領域において形成する必要がなくなり、
共通電極とデータ線との間の寄生容量を増やすことなく、共通電極でデータ線をほぼ完全に覆う
・・・・（略）・・・・
【０３５２】・・・・（略）・・・・
（本発明の第３の実施形態）図１４及び図１５に本発明の第３の実施形態にかかる横電界方式のアクティブマトリクス型液晶表示装置を示す。図１４は、本実施形態にかかる液晶表示装置８５の平面図、図１５は、図１４のＡ−Ａ’線における断面図である。
【０３５３】図１５に示すように、本液晶表示装置８５においては、
第２の層間絶縁膜の第１の膜２５ａは単位画素領域全面にわたって形成されているが、第２の層間絶縁膜の第２の膜２５ｂは共通電極２６の下方においてのみ形成されている
【０３５４】単位画素の表示領域において、
共通電極２６はデータ線２４を覆うように形成された透明金属から成る部分
【０３５５】これにより、第２の層間絶縁膜の第２の膜２５ｂを必要以上に大きな領域において形成する必要がなくなり、共通電極２６とデータ線２４との間の寄生容量の増加を防止することができる。画素電極２７はデータ線２４とともに第１の層間絶縁膜２３の上に形成することができる。
【０３５６】共通電極２６は、第２の層間絶縁膜の第２の膜２５ｂ上に形成された透明金属から成る部分以外の領域では、第１の金属層によって形成されているため、開口率は第１の実施形態に比べ低下するが、画素電極２７と異なる層で形成されるため、画素電極２７とショートすることがなくなり、生産性が向上する。・・・・（略）・・・・」
　
（３）図１４の記載及び図１５の記載から、
第２の層間絶縁膜のうち、第１の膜２５ａと第２の膜２５ｂとの積層領域は、データ線２４上に、該データ線２４を包むように形成された細長いこぶ状部分を構成している
　
（４）上記（１）〜（３）からみて、引用例には、
「ゲート電極、ドレイン電極、ソース電極を有する薄膜トランジスタと、表示すべき画素に対応した画素電極と、基準電位が与えられる共通電極と、データ線と、走査線と、共通電極配線とを備えた能動素子基板と、対向基板と、前記能動素子基板と前記対向基板との間に挟まれた状態で保持されている液晶層、とからなる横電界方式のアクティブマトリクス型液晶表示装置において、
　前記データ線上に該データ線を包むように形成された細長いこぶ状部分を構成する第１及び第２の膜の積層領域を有する層間絶縁膜を有し、
　前記データ線は、該データ線の電界をシールドするために、前記層間絶縁膜を挟んで、前記共通電極によって完全に覆われており、
　前記細長いこぶ状部分は、前記共通電極のうち前記データ線を覆うように形成された部分の下方にのみ形成されている、
　横電界方式のアクティブマトリクス型液晶表示装置。」の発明（以下「引用発明」という。）が記載されていると認められる。
　
３．対比・判断
　
　本願発明と引用発明とを対比する。
　
（１）引用発明の「横電界方式のアクティブマトリクス型液晶表示装置」、「データ線」及び「『層間絶縁膜』の『細長いこぶ状部分を構成する第１及び第２の膜の積層領域』」は、それぞれ、本願発明の「横電界方式アクティブマトリックス液晶表示装置」、「映像信号配線」及び「絶縁体のバンプ」に相当する。
　
（２）引用発明の「共通電極のうちデータ線を覆うように形成された部分」は、データ線の電界をシールドするために、データ線を完全に覆っているのであるから、本願発明の「映像信号配線をシールドするための共通電極」に相当する。
　
（３）引用発明において、層間絶縁膜のうち、第１及び第２の膜の積層領域が構成している細長いこぶ状部分は、データ線上に該データ線を包むように形成されているから、引用発明は、本願発明の「映像信号配線をつつみこむように細長い絶縁体のバンプを形成し」との特定事項を備えている。
　
（４）上記（１）ないし（３）に照らせば、引用発明において、データ線は、該データ線の電界をシールドするために、層間絶縁膜を挟んで、共通電極によって完全に覆われており、細長いこぶ状部分は、前記共通電極のうち前記データ線を覆うように形成された部分の下方にのみ形成されていることから、引用発明は、本願発明の「この細長い絶縁体のバンプの上に、映像信号配線をシールドするための共通電極を映像信号配線をおおうように形成した」との特定事項を備えている、といえる。
　
（５）以上のとおりであるから、本願発明と引用発明とは、
「横電界方式アクティブマトリックス液晶表示装置に関して、映像信号配線の上に、映像信号配線をつつみこむように細長い絶縁体のバンプを形成し、この細長い絶縁体のバンプの上に、映像信号配線をシールドするための共通電極を映像信号配線をおおうように形成した液晶表示装置。」である点で一致し、相違するところはない。
　
　よって、本願発明は引用例に記載された発明である。
　
　なお、原査定の拒絶の理由は、本願の請求項１〜７１に係る発明は、特許法２９条２項の規定により特許を受けることができないというものであって、特許法２９条１項３号に該当するというものではないが、審判請求人は、審判請求書において、本願発明と上記引用例とを対比し、新規性についても意見を述べていることは明らかである。
　
４．むすび 
　
　したがって、本願発明は、引用例に記載された発明であるから、特許法２９条１項３号に該当し、特許を受けることができない。
　
　よって、結論のとおり審決する。